Podtech/llm-jp-corpus-v4-ja_patent huggingface dataset:
(57)【要約】【課題】  本考案は、テーブル等の水平な板の上に傘を掛け置く際のすべり止めであり、落下を防止するものである。【解決手段】  傘の柄の先端部分１をゴムなどのすべりにくい材質にする事により、テーブル等の水平な板の上に柄の部分を掛け置いても、すべり落ちにくくなる。【選択図】図２
0003114807.tif 000002
【実用新案登録請求の範囲】
【請求項１】
傘の柄の先端部分を、ゴムなどのすべりにくい材質にすることによる傘のすべり止め。
【考案の詳細な説明】
【技術分野】
【０００１】  この考案は、傘を掛け置く際のすべり止めに関するものである。
【背景技術】
【０００２】  傘は一般的に柄の部分が「Ｊの字」型になっており、手すりのような場所には安定して掛け置けるが、テーブル等の水平な板の上に掛け置こうとすると、不安定で落下することがある。
【考案の開示】
【考案が解決しようとする課題】
【０００３】  傘を置く際、テーブル等の水平な板の上に柄の部分を掛け置こうとしても、不安定な為に床にすべり落ちる事があり不便だった。
【課題を解決するための手段】
【０００４】  傘の柄の先端部分をゴムなどのすべりにくい材質にする事により、テーブル等の水平な板の上に柄の部分を掛け置いても、すべり落ちにくくなる。
【考案の効果】
【０００５】  本考案を使用することにより、持ち歩いている傘を、お手洗いの洗面台や、飲食店にて食事する際のテーブル、または会計の際のレジ・カウンターなどに一時的に掛け置いても、「床に落下するのではないか」という精神的なストレスから開放される。
【考案を実施するための最良の形態】
【０００６】傘の柄の先端部分をゴムなどのすべりにくい材質にする。
【実施例】
【０００７】  以下、添付図面に従って実施例を説明する。図２は傘の柄の部分であり、その先端１をゴムなどのすべりにくい材質にする。【０００８】    また、このすべり止めが無い普通の傘にも本考案を利用できるよう、２のような形状のすべり止め器具を接着したり、３のようにサック状のすべり止め器具を装着することにより、同じようなすべり止め効果が得られる。
【図面の簡単な説明】
【０００９】
【図１】本考案である傘のすべり止めの使用例を示す図であります。
【図２】本考案のすべり止め部分の拡大図であります。
【図３】本考案の実施例のひとつを表した図であります。
【図４】本考案の実施例のひとつを表した図であります。
【符号の説明】
【００１０】  １  すべり止め部分
２  接着タイプのすべり止め器具
３  サック状タイプのすべり止め器具
【図１】
0003114807.tif 000003
【図２】
0003114807.tif 000004
【図３】
0003114807.tif 000005
【図４】
0003114807.tif 000006
(57)【要約】【課題】  １２面の正五形の板を立方体に組み立て、各面に一月から十二月のカレンダーを表示し、上面と底面に貯金の投入口を設けたカレンダー付き貯金箱を提供する。【解決手段】  一枚の薄板の中央部に正五角形の上面１を形成し、この上面１の各周辺に折り曲げ線ｔ……を介して正五角形の上側面を５面形成し、この上側面に各折り曲げ線ｔ……を介して正五角形の下側面を形成し、この下側面の中の一面に折り曲げ線を介して底面７を形成し、糊代ａ〜ｒを設けた前記上下各側面を折り曲げ線から折り曲げ、接着剤をを介して正五角形の立方体を形成し、上面１と底面７に貯金の投入口１ａ，７ａを設けたことを特徴とする。【選択図】  図１
0003114805.tif 000002
【実用新案登録請求の範囲】
【請求項１】
一枚の薄板の中央部に正五角形の上面１を形成し、この上面１の各周辺に折り曲げ線ｔ……を介して正五角形の上側面２，３，４，５，６，を形成し、この５面の上側面に各折り曲げ線ｔ……を介して５面の下側面８，９，１０，１１，１２を形成し、この５面の下側面の中の１面に折り曲げ線ｔを介して底面７を形成するように裁断し、上下の各側面の二辺に折り曲げ線ｔ……を介して糊代ａ，ｂ，ｃ，ｄ，ｅ，ｆ，ｇ，ｈ，ｉ，ｊ，ｋ，ｌ，ｍ，ｎ，ｏ，ｐ，ｑ，ｒをそれぞれ設けて接着剤を塗布し、各折り曲げ線ｔ……から裏側に折り曲げ、当接する各上下の側面の裏側に接着させることによって１２面の正五角形の立方体を形成し、この１２面の正五角形の各面に一月から十二月までのカレンダーを表示し、上面１と底面７に投入口１ａ，７ａを設けたことを特徴とするカレンダー付き貯金箱。
【考案の詳細な説明】
【技術分野】
【０００１】  本考案は１２面の正五角形からなる立方体の各面に一月から十二月までのカレンダーを表示するとともに上面と底面に貯金の投入口を設けたカレンダー付き貯金箱に関するものである。
【背景技術】
【０００２】  従来、カレンダー付き貯金箱は、可なり以前から立方体のものも含めて各種各様提供されている。
【考案の開示】
【考案が解決しようとする課題】
【０００３】  しかし、これらのカレンダー付き貯金箱は図１の示したように１枚の板（厚紙、薄い合成樹脂板等）を裁断して折り曲げ形成したものではなく、複数に分割したものを貼り合わせて形成したもので、組み立てに時間がかかるばかりでなく意匠的に優れたものではなかった。
本考案は展開図に示したように薄板を連接した１２枚の正五角形に裁断し、各糊代の接着剤を塗布し、糊代が内側になるように各折り曲げ線から折り曲げることによって１２面の正五角形からなる立方体を成し、各面に一年の各月のカレンダーをそれぞれ表示したカレンダー付き貯金箱を提供することを目的とする。
【課題を解決するための手段】
【０００４】  上記目的を達成するため本考案は、一枚の薄板の中央部に正五角形の上面１を形成し、この上面１の各周辺に折り曲げ線ｔ……を介して正五角形の上側面２、３、４、５、６を形成し、この五面の上側面に各折り曲げ線ｔ……を介して５面の下側面８、９、１０、１１、１２を形成し、この五面の下側面の中の１面に折り曲げ線ｔを介して底面７を形成するように裁断し、上下の各側面の二辺に折り曲げ線ｔ……を介して糊代ａ、ｂ、ｃ、ｄ、ｅ、ｆ、ｇ、ｈ、Ｉ、Ｊ、ｋ、ｌ，ｍ、ｎ、ｏ、ｐ、ｑ、ｒをそれぞれ設けて接着剤を塗布し、各折り曲げ線ｔ……から裏側に折り曲げ、当接する各上下の側面の裏側に接着させることによって１２面の正五角形のの立方体を形成し、１２面の正五角形の各面に一月から十二月までのカレンダーを表示し、上面１と底面７に投入口１ａ、７ａを設けたものである。
【考案の効果】
【０００５】  上記のように構成された本考案には次のようの効果がある。
優れた意匠を施すことによって年末の贈呈品として利用することもでき、又、景品として提供することもできる。
各面に表示するカレンダーを企業、自治体、学校等の会計年度に合わせて表示すれば利用度の高いものになる。
【考案を実施するための最良の形態】
【０００６】  以下、本考案の実施の形態を図面に基づいて説明する。
図１は本考案の展開図、図２〜図４は本発明の組み立て状態を示した図で、１は一月のカレンダー面（上面）で一月の暦が表示され、貯金の投入口１ａが設けられている。【０００７】  ２〜６は二月から六月までの暦を表示したカレンダー面（上側面）で、７は七月のカレンダー面（底面）で、七月の暦が表示され、貯金の投入口７ａが設けられていて８〜１２は八月から十二月までの暦を表示したカレンダー面（下側面）である。
図１に示すように一月のカレンダー面を中心に二月、三月、四月、五月のカレンダー面を連接させ、二月のカレンダーに八月のカレンダー面を、三月のカレンダーに面に１２月のカレンダー面を、四月のカレンダー面に十一月のカレンダー面を、五月のカレンダー面に十月のカレンダー面をそれぞれ連接するように各カレンダー面は折り曲げ線を介して連接されている。
各暦は一枚の板にカレンダーを印刷し、抜き型で裁断と折り曲げ線加工を同時に行なうことが可能である。
貯金箱として利用した場合、投入した貯金を取り出す必要が生じたときは２ヶ所に設けられたミシン目の切り取り線に切り込みを入れて切り離すと簡単に取り出すことができる。【０００８】  本考案を組み立てる場合、各カレンダー面の接線の貼り合わせを正確にする必要がある。
又、折り目を確実にするためには表裏に折り曲げを繰り返して折り癖を付けておく必要がある。
糊面に塗布する糊（接着剤）は速乾性のものが望ましく、一箇所が完全に乾いてから次の箇所を接着するようにすると、各面と面の接線を奇麗に仕上げることができる。
組み立ての最後の手段である七月のカレンダー面（底面）の接着は、８、９、１０、１１の各カレンダー面の糊面に接着剤を塗布し、各糊面を完全に折曲げない状態で七月のカレンダー面を軽く押圧した状態で一分間ほど経過すると完全に接着しカレンダー付き貯金箱が完成する。
【図面の簡単な説明】
【００１０】図１        本考案の展開図
図２〜図４  本考案の組み立て状態を示した図
【符号の説明】
【００１１】
0003114805.tif 000003
0003114805.tif 000004
【図１】
0003114805.tif 000005
【図２】
0003114805.tif 000006
【図３】
0003114805.tif 000007
【図４】
0003114805.tif 000008
(57)【要約】      （修正有）【課題】電波を利用した忘れ物防止器であり外来ノイズによる誤作動を抑止する。【解決手段】人が持つ受信機に感度調整用の回転式ダイヤル可変抵抗またはスライドスイッチ式可変抵抗を取り付けて自由に動作距離を調整できるようにするとともに誤作動発生時に押しボタン式タイマーで一時的に音や振動を停止する機能を備えた忘れ物防止器である。【選択図】図２
0003114803.tif 000002
【実用新案登録請求の範囲】
【請求項１】
人が身につける携帯用電波受信機とカバン等の重要物に取り付ける送信機からなり人がカバン等を置き忘れて離れていくと音または振動で忘れ物に気づくしくみの装置において自由に変えられる動作距離調整機能を備えた忘れ物防止器。
【請求項２】
人が身につける携帯用電波受信機とカバン等の重要物に取り付ける送信機からなり人がカバン等を置き忘れて離れていくと音または振動で忘れ物に気づくしくみの装置において外来ノイズ等の電波障害による誤作動に際して一時的に機能を停止させる押しボタンスイッチを備えた忘れ物防止器。
【考案の詳細な説明】
【考案の詳細な説明】
【産業上の利用分野】
【０００１】      この考案は人が大切なカバン等の重要物を置き忘れていこうとすると「ピッピッ・・・・」という音または振動で自動的に忘れ物を知らせてくれるものである。大金や大切な個人情報、設計図、データの入ったカバン等を電車の中や客先、レストラン等に置き忘れ、大きな損害の発生を抑止することができる。
【背景技術】
【０００２】  従来より送信機と受信機がある一定の距離以上離れて電波が届かなくなり音または振動で知らせるものがあった。  従来の技術では動作距離が見通し距離で５ｍとか１０ｍ離れると動作するものであった。
【考案が解決しようとしている課題】
【０００３】しかしながら従来の技術は見通し動作距離が一定のためノイズの多い電車の中やプラットホーム、大出力の無線機のそば等では誤作動が多く実用的ではなかった。又、人によっては動作距離が長いものがよいとか、短いものがよいとか人により意見はさまざまでクレームが多く発生していた。
【課題を解決するための手段】
【０００４】  本考案は回転ダイヤル式可変抵抗やスライドスイッチ式可変抵抗で受信感度を変えることによりその動作距離を自由に変えることができるように工夫した忘れ物防止器で電車の中やホーム等外来のノイズの多い場所では動作距離を長くしてノイズの影響を少なくできる。又、人によって動作距離の好みが違う場合が多く、本装置は使う人が自由に動作距離を変えることができるようにしたものである。（
【図３】
参照）
【０００５】  すなわち人が持つ受信機に自由に抵抗値の変えられる回転ダイヤル式可変抵抗を取り付けるかまたはスライドスイッチ式可変抵抗でその抵抗値を変えることにより受信感度が変えられるようにしている。  受信感度が変われば動作距離が変わるので見通し距離５ｍから１０ｍに変えたり逆に１０ｍから３ｍに容易に変えることができ使用者の好みにより自由に設定できるのでクレームはなくなる。
又ノイズの多い場所でもその動作距離を長くすることにより誤作動を抑止することができる。動作距離を長くしても誤作動を抑止できないときは機能停止ボタンを押すことによりタイマーで一時的に機能を停止させ音や振動を止めることができるので近隣の人に迷惑をかけることはない。
【考案の効果】
【０００６】この考案により外来ノイズによる誤作動が多くて使えなかった人や動作距離が長すぎて忘れ物に気が付くのが遅れて電車が発車したあと気がつき、役に立たなかった人、誤作動のため「ピッピッ・・・」という音で周りの人に迷惑をかけてしまったという人々のクレームはなくすることができ従来品より実用的となる。
【図面の簡単な説明】
【０００７】
【図１】  本考案の使用イメージ図である。
【図２】  本考案の外観図である。
【図３】  本考案の回路ブロック図である。
【図１】
0003114803.tif 000003
【図２】
0003114803.tif 000004
【図３】
0003114803.tif 000005
(57)【要約】      （修正有）【課題】出先・利用先等で情報機器を使用する際に市販のボールペン等に装着する事によりボールペン等をタッチパネル専用ペンとして利用が可能なペンキャップで、紛失防止の為、専用ストラップ等でつながれた、かさばらないペンキャップを提供する。【解決手段】市販のボールペン等の終端部へのペンキャップの装着により、ペン入力が行えます。ペンキャップはストラップを介して本体に固定されている事により常に携帯できます。使いやすい・長いボールペン等にペンキャップを装着する事により優れた操作性を実現。【選択図】図４
0003114809.tif 000002
【実用新案登録請求の範囲】
【請求項１】
出先・利用先等でタッチパネルを採用したペン入力携帯電話機等の携帯情報機器を使用する際に、市販のボールペン等のペン先の反対側の終端部に装着する事により操作性に優れたタッチパネル専用ペンとして利用が可能な、タッチパネルを傷つけない素材を使用したペン先を有する、かさばらない、携帯性を重視したペンキャップ。
【請求項２】
出先・利用先等でタッチパネルを採用したペン入力携帯電話機等の携帯情報機器用のタッチパネル専用のペンキャップで、紛失防止の為、情報機器本体と専用ストラップ等を介して、つながれている、ペン先への汚れ・油等の付着を防止する為のキャップと組合わせたペンキャップ。
【考案の詳細な説明】
【技術分野】
【０００１】現在、携帯情報端末・電子辞書・携帯電話機には、ペン入力により効率的な文字入力を行う為、タッチパネルを採用した商品が開発されています。
【背景技術】
【０００２】現在、携帯情報端末・電子辞書・携帯電話機には、ペン入力により効率的な文字入力を行う為、タッチパネルを液晶パネル前面に配置した商品が開発されています。これらの商品ではタッチパネルを専用のペンにてタッチする事により、表示されている文字をペンタッチする事によりスピーディに効率的に文字入力等が行えます。
【考案の開示】
【考案が解決しようとする課題】
【０００３】現在、携帯情報端末・電子辞書・携帯電話機には、ペン入力により効率的な文字入力を行う為、液晶パネル前面にタッチパネルを貼り付けた商品が開発されています。これらの情報機器で使用されているペンは、先端又は全体がタッチパネルを傷つけないように配慮した軟質素材等が使用されています。
一般のボールペン等をそのまま使用した場合はタッチパネルを傷つける可能性があります。専用ペンは、ペンの紛失防止のためにも、携帯情報機器本体に収納できるペンが主流を占めています。しかし、本体の携帯性の追求の為、専用ペンは細く・短く・使いずらいものが主流を占めています。また、本体に収納できるタイプが多い為、本体の外形寸法が大きくなる・ペン紛失の可能性等の課題点があります。操作性の改善の為、ペンを持ちやすく・長くすると、携帯性が損なわれる上、本体側のコストアップにつながります。
【課題を解決する為の手段】
【０００４】現在、専用ペンは何れも本体への収納と携帯性追求の為、細く・短いものが主流を占めています。その為、操作性・使い勝手はあまり良いとは言えません。ペンの長さや太さを持ちやすくすると、携帯性が損なわれてしまいます。本考案は、今までにない発想に基づき、ビジネスマン・学生等が外出時に常に携帯している市販のボールペン２に着目し、タッチパネル専用キャップ１を装着する事により操作性に優れた専用ペンに、はやがわりさせるものです。本考案は、ポールペンのキャップの様な形状の、ペン先９として先端部に突起部を有するペンキャップを携帯ストラップを介して携帯情報機器本体に固定するものです。  本考案は、ペンキャップ１と、ペン先への汚れ・油等の付着を防止する為のキャップ８から構成されており、これらはストラップを介して本体につながっております。ペンキャップは長さが２〜３ｃｍ程度と小さく・軽く携帯性に優れた、かさばらない形状である上、安価なプラスチック成型品です。
本キャップは、一般的なボールペン等の口径に合わせた寸法で設計されており、携帯情報機器の携帯時にはキーホルダーの様にストラップの先端につながれた状態でかさばらずに携帯できます。
【０００５】図４の様に、実際に文字入力等に使用する場合は、別途携帯している市販のボールペンのペン先の反対側の終端部に本考案のペンキャップ１を装着し、タッチパネル用の専用ペンとして利用します。ペンキャップには、携帯ストラップを通せる穴が設けられている為、ペン終了後はボールペンより外し、キーホルダー感覚で本体と一緒に、かさばらずに携帯できます。その為、情報機器を使いたい時に専用ペンの紛失・持ち忘れにより使えない事態は解消されます。
【考案の効果】
【０００６】本考案は、携帯情報機器本体とストラップ等でつながれたペンキャップを、出先・利用先等で携帯情報機器を使用する際に、市販のボールペン等に装着する事により専用ペンとして利用が可能です。
ペンキャップは、ストラップ等のケーブルにより本体とつながれており、小型・軽量性から、かさばらずにキーホルダー感覚で本体と共に携帯できる事を特長としています。ペンキャップは市販のボールペン等の口径サイズに合わせて設計されている事より、常に携帯しているボールペンを有効活用できます。ボールペンは現在の各情報機器に付属している専用ペンよりも太く持ち易い為、ワングレード上のペン操作性を実現できます。
ペンキャップを携帯情報機器本体と共に携帯時にペンキャップのペン先が汚れ・油等が付着するのを防ぐ為、携帯ストラップに接続されているペンキャップ保護キャップを装着しています。
【実施例】
【０００７】図４に携帯電話機の場合のペンキャップのボールペンへの装着の具体的な実施例について説明します。
【図面の簡単な説明】
【０００８】
【図１】ペンキャップの側面図にて本考案の説明を行います。
【図２】ペンキャップの正面図にて本考案の説明を行います。
【図３】ペンキャップの断面図にて本考案の説明を行います。
【図４】ペンキャップの携帯電話機での接続図にて本考案の説明を行います。
【符号の説明】
【０００９】１  ペン入力対応・タッチパネル付携帯情報機器用ペンキャップ
２  ボールペン、水性ペン等
３  携帯情報機器本体との接続する為のストラップを通す為の専用の穴
４  ボールペン等のキャップ
５  ボールペンのペン先
６  ストラップ
７  携帯電話機等の携帯情報機器
８  ペンキャップのペン先への汚れ・油等の付着を防止する為のキャップ
９  ペンキャップのペン先
【図１】
0003114809.tif 000003
【図２】
0003114809.tif 000004
【図３】
0003114809.tif 000005
【図４】
0003114809.tif 000006
(57)【要約】【課題】思い出や記念となる衣服について、日常生活で邪魔になることなく眺められるような高級感あふれる置物ないし装飾品ともなり、どんな場合でも違和感なく対応できるような保存し易い思い出の具現物を提供する。【解決手段】台座１の上に立設した支持棒２の上部にミニハンガー類３を取り付けないしセットにし、これにミニチュアサイズの縮小再現衣服４を取り付けないしセットにした思い出スタンドとする。またそのミニハンガー類３は、少なくとも肩部を含む人体の部分的ボデイフィギュア３Ａにしてもよい。【選択図】図５
0003114810.tif 000002
【実用新案登録請求の範囲】
【請求項１】
台座の上に立設した支持棒の上部にミニハンガー類を取り付けないしセットにして、これにミニチュアサイズの縮小再現衣服を取り付けないしセットにしたことを特徴とする思い出スタンド。
【請求項２】
上記ミニハンガー類が、少なくとも肩部を含む人体の部分的ボデイフィギュアである請求項１記載の思い出スタンド。
【考案の詳細な説明】
【考案の詳細な説明】
【技術分野】
【０００１】この考案は、思い出や記念の対象となり思い入れのある衣服等を具現物として眺めたり長期保存するための思い出スタンドに関する。
【背景技術】
【０００２】従来より、思い出となる経験をした本人や家族などにできるだけその記憶を具体的に再現させるように、アルバム、ビデオ、肖像、その他各種の手段でこれを記録し保存することが行なわれてきた。【０００３】最近では本人のミニ立体肖像（フィギュア人形）を作り、これに思い出のある衣服の縮小版を着せて置物状としたものや、本出願人の考案による壁掛け状のものも、その目的のために試みられている。
【考案が解決しようとする課題】
【０００４】しかしながら上記のように置物にすると、日常生活において邪魔になることが多く、またその人形の顔を本人に似せることが至難で、かえって違和感を生じ不評になりがちであり、さらにコストが高くつくなどの問題点もあった。また壁掛け状にすると、立体感を欠いたり高級感を損なうなどの問題点があった。
【０００５】本考案はかかる問題点を解決して、日常生活で必要に応じ邪魔になることなく眺められると同時に、立体感あふれる置物又は装飾物としても使用できるような、保存しやすい思い出の具現物を提供することを課題とする。
【課題を解決するための手段】
【０００６】台座１の上に立設した支持棒２の上部にミニハンガー類３を取り付けないしセットにし、これにミニチュアサイズの縮小再現衣服４を取り付けないしセットにして、本考案の思い出スタンドとする。
【０００７】図１、図２、図３及び図４は、それぞれ縮小再現衣服４を取り付ける以前における台座等の態様を示す。図３及び図４ではミニハンガー類３に相当する箇所が、少なくとも肩部を含む人体の部分的ボテイフィギュア３Ａとして示されている。一見、マネキン人形のボデイパーツの如くであるが、これも本考案のミニハンガー類の範疇に含められる。
【０００８】なお図２及び図４では、支持棒２が下方にかけて斜めに屈折しているが、これは縮小再現衣服４がズボンを着用している場合に、その片足内に支持棒２を通すためである。ちなみに縮小再現衣服４を取り付けた後における態様は図５及び図６のようになる。
【０００９】このような縮小再現衣服４等は予めミニハンガー類３等に取り付け固定しておいても良いが、これ等をそれぞれ部品としてセット化し、ユーザーが必要に応じその都度取り付けて思い出スタンドとして飾っても良い。
【作用及び効果】
【００１０】本考案はこのような構成であるから、この製品はユーザーのそれぞれの思い出が込められた実物の材料等から成るそれぞれ世界で唯一のものとなり、従ってユーザーの満足度はきわめて高いものとなると同時に、酷似させることが至難な顔などの模写も必要とせず、またスタンド状であるから高級感にあふれた置物として装飾性の高いものにできるなどの効果がある。
【考案を実施するための最良の形態】
【００１１】各種制服、スーツ、スポーツユニフォーム、ブライダルウエアーなど、思い出深い、また思い入れのある衣服について、その生地及びボタンその他付属物を使いできる限り忠実に、予め専用に作成した幅約３５ｃｍのミニハンガー類３又は部分的ボデイフィギュア３Ａに合わせた寸法に作り替え、縮小再現衣服４とする。支持棒２の長さはおよそ５０ｃｍ前後となるが、これを例えば約３５ｃｍ×２１ｃｍ×３ｃｍの台座１上に立設し、これにミニハンガー類３や縮小再現衣服４を取り付けるものとする。なお他の要望に合わせ、様々な形態となる。
【図面の簡単な説明】
【００１２】
【図１】縮小再現衣服を除いた本考案一例の見取図
【図２】縮小再現衣服を除いた本考案別例の見取図
【図３】縮小再現衣服を除いた本考案更に別例の見取図
【図４】縮小再現衣服を除いた本考案更に別例の見取図
【図５】縮小再現衣服を取り付けた本考案一例の見取図
【図６】縮小再現衣服を取り付けた本考案別例の見取図
【符号の説明】
【００１３】      １……台座
２……支持棒
３……ミニハンガー類
３Ａ……部分的ボデイフィギュア
４……縮小再現衣服
【図１】
0003114810.tif 000003
【図２】
0003114810.tif 000004
【図３】
0003114810.tif 000005
【図４】
0003114810.tif 000006
【図５】
0003114810.tif 000007
【図６】
0003114810.tif 000008
(57)【要約】      （修正有）【課題】本考案はガードレールのボルト部に接触、衝突などを起した車輌等の車体の一部が引掛かり、残ることをビーム表面に凸形状を設ける事により防止する。【解決手段】本考案はビーム表面の取付ボルト周りに凸形状を成型し、ボルトとビーム表面の隙間を１の様に埋没させ車輌等の車体の引っ掛かりを起こし難くすることによりガードレールの機能の安全性を高める事に役立つ。【選択図】図２
0003114808.tif 000002
【実用新案登録請求の範囲】
【請求項１】
ガードレールのビーム表面（袖ビームも含む）の取付用ボルトの周りに凸形状を成型したビームでボルトとビームの接触部分を埋没させることを特徴とする構造。
【考案の詳細な説明】
【技術分野】
【０００１】本考案はガードレールのビーム表面（袖ビームも含め、以下ビームと呼ぶ）の取付ボルト周りに凸形状を成型したビームに関するものである。
【技術の背景】
【０００２】ガードレールに接触、衝突した車輌等の車体の一部がビーム表面と取付ボルトの隙間に引掛かり、剥ぎ取られて危険性のある金属片等が残ることが有るため。
【考案の開示】
【考案が解決しようとする課題】
【０００３】ビーム表面とボルトの隙間に車体の一部の金属片等が残り、通行人等に危険を及ぼす事を解決しようとするものである。
【問題を解決するための手段】
【０００４】本考案はガードレール部材の取付ボルト周りのビーム表面を凸形状に成型する事により、ボルトとビームの継ぎ目を埋没させ車輌等の接触、衝突による車体等の一部が引掛かり、残置する問題点を解決している。
【考案の効果】
【０００５】上述の形状をビームに成型することにより従来は考慮されていなかった金属片等の残置対策が施されることとなりガードレールに対する安全性がいっそう高まる事になり役立つ。
【考案を実施するための最良の形態】
【０００６】ガードレールのビーム面に成型する凸形状はボルト頭部方向へ滑らかな線形で変化すること。凸形状の高さはビームとボルト接触部を必ず越える高さであるとともに取付ボルトの高さを越えないこと。また凸形状の外縁はビームの形状断面の凹凸の各幅内をなるべく侵さない範囲内にとどめる。ボルトの外縁と凸部の内縁立上りの間隔は出来るだけ狭くする。
【図面の簡単な説明】
【０００７】
【図１】本考案のビームを取り付けたガードレールの標準断面図。この断面図はビームの重なり合う部分。
【図２】本考案のビーム、ボルト頭部周りの凸形状の平面図、及び断面形状の２例。
【図３】本考案ビームを付けた標準的ガードレール構造図とビームの平面図の一部。
【図４】標準的ガードレールの施工平面図及び正面図。
【符号の説明】
１    凸形状
２    ガードレールのビーム取付ボルト
【図１】
0003114808.tif 000003
【図２】
0003114808.tif 000004
【図３】
0003114808.tif 000005
【図４】
0003114808.tif 000006
(57)【要約】【課題】  精密な回路に用いられる耐高電圧のミニセラミックコンデンサを提供する。【解決手段】  円板状のミニセラミックベースを有し、該ミニセラミックベースの両側に１００％フルのシルバーゲルが塗布されることにより、電極が形成され、該ミニセラミックベースの両側における電極のシルバーゲルの外側に電極部材が溶接され、該ミニセラミックベースの外側にシルバーゲルと電極部材の一部を包覆する絶縁コーディングが設けられることを特徴とする。【選択図】  図４
0003114892.tif 000002
【実用新案登録請求の範囲】
【請求項１】
円板状のミニセラミックベースを有し、該ミニセラミックベースの両側に１００％フルのシルバーゲルが塗布されることにより、電極が形成され、該ミニセラミックベースの両側における電極のシルバーゲルの外側に電極部材が溶接され、該ミニセラミックベースの外側にシルバーゲルと電極部材の一部を包覆する絶縁コーディングが設けられることを特徴とするミニセラミックコンデンサ。
【請求項２】
前記ミニセラミックベースの直径は２ミリ〜５ミリであることを特徴とする請求項１に記載のミニセラミックコンデンサ。
【考案の詳細な説明】
【技術分野】
【０００１】
本考案は、特に精密な回路に用いられる耐高電圧のミニセラミックコンデンサに関するものである。
【背景技術】
【０００２】
従来のセラミックコンデンサは、タルカムセラミックやチタンセラミックなど電中間物の両側に電極としてシルバーが溶接される物である。
【考案の開示】
【考案が解決しようとする課題】
【０００３】
しかしながら、従来のセラミックコンデンサの体積が大きいから、精密な回路に適用しなく、若し回路基板に従来のセラミックコンデンサを設置すれば、電子製品の体積が大きくなるという問題を有する。
【０００４】
そこで、案出されたのが本考案であって、精密な回路に用いられる耐高電圧のミニセラミックコンデンサを提供することを目的としている。
【課題を解決するための手段】
【０００５】
本願の請求項１の考案は、円板状のミニセラミックベースを有し、該ミニセラミックベースの両側に１００％フルのシルバーゲルが塗布されることにより、電極が形成され、該ミニセラミックベースの両側における電極のシルバーゲルの外側に電極部材が溶接され、該ミニセラミックベースの外側にシルバーゲルと電極部材の一部を包覆する絶縁コーディングが設けられることを特徴とするミニセラミックコンデンサ、を提供する。
【０００６】
本願の請求項２の考案は、前記ミニセラミックベースの直径は２ミリ〜５ミリであることを特徴とする請求項１に記載のミニセラミックコンデンサ、を提供する。
【考案の効果】
【０００７】
本考案は上記の課題を解決するものであり、円板状のミニセラミックベースを有し、該ミニセラミックベースの両側に１００％フルのシルバーゲルが塗布されることにより、電極が形成され、該ミニセラミックベースの両側における電極のシルバーゲルの外側に電極部材が溶接され、該ミニセラミックベースの外側にシルバーゲルと電極部材の一部を包覆する絶縁コーディングが設けられるので、精密な回路に使用することができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係るミニセラミックコンデンサのセラミックベースとシルバーゲルを示す斜視図であり、図２は本考案に係るミニセラミックコンデンサのセラミックベースとシルバーゲルを示す断面図であり、図３は本考案に係るミニセラミックコンデンサのシルバーゲルに電極部材が設けられる状態を示す斜視図であり、図４は本考案に係るミニセラミックコンデンサの部分断面斜視図である。
【００１０】
図１及び図２に示すように、本考案に係るミニセラミックコンデンサは、直径が２ミリ〜５ミリである円板状のミニセラミックベース（１０）を有し、該ミニセラミックベース（１０）の両側に１００％フルのシルバーゲル（１１）が塗布されることにより、電極が形成される。
【００１１】
図３に示すように、ミニセラミックベース（１０）の両側における電極のシルバーゲル（１１）の外側に電極部材（１２）が溶接される。
【００１２】
又、図４に示すように、前記ミニセラミックベース（１０）の外側にシルバーゲル（１１）と電極部材（１２）の一部を包覆する絶縁コーディング（１３）が設けられる。
【００１３】
前記ミニセラミックベース（１０）の両側に設けられる１００％フルのシルバーゲル（１１）は、ローラー塗布によって設けられるので、シルバーゲル（１１）の厚さとコンデンサの蓄電値を確保することができる。
【００１４】
又、前記シルバーゲル（１１）は、印刷又は気体蒸着法などにより設けられてもよい。
【産業上の利用可能性】
【００１５】
本考案は上記の構成を有し、円板状のミニセラミックベースを有し、該ミニセラミックベースの両側に１００％フルのシルバーゲルが塗布されることにより、電極が形成され、該ミニセラミックベースの両側における電極のシルバーゲルの外側に電極部材が溶接され、該ミニセラミックベースの外側にシルバーゲルと電極部材の一部を包覆する絶縁コーディングが設けられるので、精密な回路に使用することができる。
【図面の簡単な説明】
【００１６】
【図１】本考案に係るミニセラミックコンデンサのセラミックベースとシルバーゲルを示す斜視図である。
【図２】本考案に係るミニセラミックコンデンサのセラミックベースとシルバーゲルを示す断面図である。
【図３】本考案に係るミニセラミックコンデンサのシルバーゲルに電極部材が設けられる状態を示す斜視図である。
【図４】本考案に係るミニセラミックコンデンサの部分断面斜視図である。
【符号の説明】
【００１７】
１０        ミニセラミックベース
１１        シルバーゲル
１２        電極部材
１３        絶縁コーディング
【図１】
0003114892.tif 000003
【図２】
0003114892.tif 000004
【図３】
0003114892.tif 000005
【図４】
0003114892.tif 000006
(57)【要約】【課題】  この考案は、亡くなった人の遺品を身近に置くことができ、触ることもでき、これにより、故人を思い出すことのできる遺髪筆を開発・提供することにある。【解決手段】  故人の髪（１）を用い、該髪を、筆軸（２）本体の軸先（３）に装着したことを特徴とする遺髪筆から構成され、該筆軸（２）には、故人の実名、戒名、逝去年月日等故人の情報（４）を記載、あるいは、彫設し、さらに、該遺髪筆と、その故人の遺影（５）とを、ケースあるいは額縁等の収納具（６）に収納したことを特徴とする遺髪筆である。【選択図】      図１
0003114848.tif 000002
【実用新案登録請求の範囲】
【請求項１】
故人の髪（１）を用い、該髪を、筆軸（２）本体の軸先（３）に装着したことを特徴とする遺髪筆。
【請求項２】
故人の髪（１）を用い、該髪を、筆軸（２）本体の軸先（３）に装着し、該筆軸（２）に、故人の実名、戒名、逝去年月日等故人の情報（４）を記載、あるいは、彫設したことを特徴とする遺髪筆。
【請求項３】
故人の髪（１）を用い、該髪を、筆軸（２）本体の軸先（３）に装着し、筆軸（２）に、故人の実名、戒名、逝去年月日等故人の情報（４）を、記載、あるいは、彫設した遺髪筆と、故人の遺影（５）とを、ケースあるいは額縁等の収納具（６）に収納したことを特徴とする遺髪筆。
【考案の詳細な説明】
【技術分野】
【０００１】
この考案は、遺髪筆に関する。
【背景技術】
【０００２】
従来、筆は、文字を書くための筆記具であるが、近年、胎毛筆と称し、生まれたばかりの乳児の頭髪を用いて筆としたものや、愛玩動物（ペット）の毛等を用い筆としたものがあるが、これらは、筆記具というより、記念となる『思い出の品』との意味が強いものがあった。
【特許文献１】登録実用新案第３０３６３６２号公報
【０００３】
そして、亡くなった人の写真、即ち、遺影や、亡くなった人が大事にしてた形見の品等の遺品類があり、この遺品を時折取り出して眺めながら、故人を偲ぶことは、故人にとって大切な供養となるものである。
【０００４】
そのため、人徳のあった故人は、沢山の人に一々形見の品を用意するわけにも行かず、これに類似する品を設ける必要があり、比較的簡単に用意でき、故人の記念となる品を見つける必要がある。
【考案の開示】
【考案が解決しようとする課題】
【０００５】
そこで、この考案は、亡くなった人の遺品を身近に置くことができ、触ることもでき、これにより、故人を思い出すことのできる遺髪筆を開発・提供することにある。
【課題を解決するための手段】
【０００６】
上記目的を達成するために、故人の遺髪を用いて、筆に形成し、この筆軸に故人の情報を記載しておき、また、この遺髪筆と遺影を一体にケース等の収納具に入れておき、何時でも、取り出して、故人を偲ぶことができるよう構成したものである。
【考案の効果】
【０００７】
この考案の遺髪筆によると、コンパクトな形に仕上がり、場所を占めず、仏壇の中にでも吊り下げておくこともでき、遺影等のように、単に、眺めるだけのものでなく、直接、遺髪に触れることができ、より、故人と密接な感じとなり、実感が沸くものである。
【０００８】
さらに、この遺髪筆と遺影等とを、一緒に、ケースあるいは額縁等の収納具に入れておけば、塵埃等が付着し難く、また、筆軸に、戒名や実名、逝去年月日が記載されており、より故人が思い出される等、極めて有益なる効果を奏するものである。
【考案を実施するための最良の形態】
【０００９】
そこで、この考案は、毛筆に目を付け、故人の髪を用い、該髪を、筆軸本体の筆先に装着した遺髪筆を考案したものであり、この遺髪筆の筆軸には、故人の実名、戒名、逝去年月日等故人の情報を設け、さらに、この遺髪筆と故人の遺影とを、ケースあるいは額縁等の収納具に収納したものである。
【実施例】
【００１０】
以下、この考案の一実施例を図面に従って説明すると、故人の髪（１）を用い、該髪を、筆軸（２）本体の軸先（３）に装着したことを特徴とする遺髪筆から構成される。
【００１１】
そして、この考案の他の実施例として、故人の髪（１）を用い、該髪を、筆軸（２）本体の軸先（３）に装着し、該筆軸（２）に、故人の実名、戒名、逝去年月日等故人の情報（４）を記載、あるいは、彫設したことを特徴とする遺髪筆である。
【００１２】
さらに、この考案のさらに、他の実施例を図面に従って、説明すると、故人の髪（１）を用い、該髪を、筆軸（２）本体の軸先（３）に装着し、筆軸（２）に、故人の実名、戒名、逝去年月日等故人の情報（４）を、記載、あるいは、彫設した遺髪筆と、故人の遺影（５）とを、ケースあるいは額縁等の収納具（６）に収納したことを特徴とする遺髪筆である。
【産業上の利用可能性】
【００１３】
この考案は、遺髪筆の製造技術を確立し、この遺髪筆を大量に製造及び販売することにより、産業上利用可能性がある。
【図面の簡単な説明】
【００１４】
【図１】この考案の一実施例を示す正面図である。
【図２】この考案の他の実施例を示す正面図である。
【符号の説明】
【００１５】
１  故人の髪
２  筆軸
３  軸先
４  故人の情報
５  故人の遺影
６  収納具
【図１】
0003114848.tif 000003
【図２】
0003114848.tif 000004
(57)【要約】      （修正有）【課題】本来のインク注入口からインクを入れる際の手間と汚れる可能性を極力なくし、インク出口から注入することで簡単に且つ汚れずに注入する。【解決手段】インク出口から注入する際にインク出口から注入することでインク充填口の栓をはずさずに注入でき且つキャップ式にすることで漏れの無いように注入することが可能となる。又、出口から注入することでインク出口の目詰まりをインク自体のアルコール成分にて溶かす効果によって再利用時の不具合を極力なくすことが可能となる。【選択図】図１
0003114754.tif 000002
【実用新案登録請求の範囲】
【請求項１】
使用済みインクジェットカートリッジにインクを注入し再使用する際、補充用インクの注入方式にインク出口からの注入を方法とした注入器。
【考案の詳細な説明】
【考案の詳細な説明】
【技術分野】
【０００１】本考案は使用済みインクジェットカートリッジにインクを再注入する際、インク注入口の栓やラベルを取り除かずに注入できる方法で手間をかけない注入法である。
【背景技術】
【０００２】従来のインク注入方法は製品ラベルと球状の栓によって保護された新品を製造する際に注入口となっている箇所のラベルをはがし、栓を容器の中へ押し込む、または引き抜く作業が必要となり、手間がかかる。
また、インクが残っている場合等にインクで手が汚れるなどの問題もあるため、手袋等が添付されている。
【本考案が解決しようとする課題】
【０００３】前途の内容により手間による作業のため、補充用インクを使用せず新品の購入を行うなどでゴミとして廃棄するなどの環境問題を解決するため補充用インクの需要を伸ばすことに影響を及ぼさなくてはならない。
また手間がなく補充用インクを注入できなくてはならない。
【課題を解決するための手段】
【０００４】本考案は新品を製造する際に利用されるインク注入口からの注入を行わずインク出口よりインクを注入できるようにインク注入器を使用する。
また、注入時にインクが溢れて漏れ出さないようにキャップにし、手や衣類などを汚さないように作業を行えるよう考慮している。
【考案実施の形態】
【０００５】補充用インクの容器とキャップを融合させ、インク出口より注入できる形態となっている。
注入の際インクが漏れ出さないよう、ゴムによるパッキンがキャップにつけられている。
【実用例】
【０００６】以下、添付図面によって一実施例を説明する。
まずは透明な樹脂で成型された補充用インクが入れられた容器▲１▼にゴムパッキンがつけられたキャップ▲２▼が融合されている注入器▲３▼を使用済みインクカートリッジにセットする。
▲４▼の部分を押すと容器に入っているインクが使用済みインクカートリッジのインクタンク部▲５▼▲６▼に注入され注入終了となる。
注入終了後にキャップ部をインクカートリッジから取り外しインクカートリッジは再度使用可能となる。
【０００７】▲３▼が本考案の補充用インク注入器である。
インク注入をインク出口から注入することが目的であるため形状はインクカートリッジの形状に合わせ成型する。
【０００８】本考案の一実例は前途の如き構成からなるものであるからインク注入は勿論、本来の充填口の栓を抜き取る作業を省き簡単にし、手や衣類を汚さないよう行える事を目的とする。
又、本考案はインクジェットカートリッジのインク出口よりインクを注入することを目的とするため、図面の注入器自体の形状は一実例である。
【本考案の効果】
【０００９】前途のように注入作業を安易に行え、手や衣類を汚さない様にすることにより補充用インクの需要を伸ばすことに役立つ
【図面の簡単な説明】
【図１】本考案の補充用インク注入器の一実例を示す横面図である。
【符号の説明】
▲１▼注入用インクが入れられているタンク部
▲２▼カートリッジへ接続するキャップ部
▲３▼補充用インク注入器全体図
▲４▼インクを注入する時の押部
▲５▼インクジェットカートリッジのインク注入箇所１
▲６▼インクジェットカートリッジのインク注入箇所２
【図１】
0003114754.tif 000003
【手続補正書】
【提出日】平成17年7月6日(2005.7.6)
【手続補正１】
【補正対象書類名】実用新案登録請求の範囲
【補正対象項目名】全文
【補正方法】変更
【補正の内容】
【実用新案登録請求の範囲】
【請求項１】
使用済みインクジェットカートリッジにインクを注入し再使用する際に使用する注入器において、前記注入器の形状が前記インクジェットカートリッジのインク出口に対応した形状となっていることを特徴とする注入器。
(57)【要約】      （修正有）【課題】主に新生児など乳児が排便をした際には、お尻拭き専用ナプキンなどによる拭き取りがなされていたが、おむつかぶれや、衛生上の面からもこれらの問題を解決したベビー用お尻洗浄装置を提供する。【解決手段】乳児を抱いて、本装置の７のホールに乳児の肛門が合うように寝かせ、１のスイッチを入れる事により、２に貯められている温水を４のノズルより霧状に噴霧され、乳児の肛門付近に付着した便を洗い流すことである。【選択図】図１
0003114758.tif 000002
【実用新案登録請求の範囲】
【請求項１】
新生児から１２ヶ月位の乳児専用の洗浄便座で、オマルの形態を呈し、乳児の肛門に付着した排便を除去する噴霧ノズルを設置し、温水で洗い流す装置。
【考案の詳細な説明】
【技術分野】
【０００１】  本考案は、新生児から１２ヶ月ぐらいまでの乳児が対象の排便の際の洗浄に関する装置である。
【背景技術】
【０００２】  乳児が排便をした際の処理は、寝返りをするまでの乳児までは比較的大人しいものの、寝返りをする頃になる乳児はじっとしておらず、乳児の排便処理をする親等は処理に手間が掛かる事と、乳児の肛門やその周りに付着した便を処理するには、お尻専用ナプキンで拭き取る等の方法しかなかった。【０００３】  また、乳児によっては年齢の差や肌の強弱で、便により肛門やその周りが赤くかぶれる等の弊害もあった。一度、かぶれると乳児の肌にダメージを与える事により、おむつ交換の際でも乳児は、じっとしていられない。また、かぶれが治癒するまでに時間も掛かるのが現状である。【０００４】  これらの弊害は初めて子供を出産した母親には不慣れな上に泣きじゃくる乳児に対して、おむつ交換処理は非常に神経を使うなど負担であった。
【考案の開示】
【考案が解決しようとする課題】
【０００５】  解決しようとする問題点は、乳児の排泄処理には既に周知の、お尻専用ナプキン等による拭き取りでは、おむつ交換に時間と手間が掛かり、また不衛生である。
【課題を解決するための手段】
【０００６】  本考案は、排泄をした乳児の肛門に付着した便を本装置に乳児を抱きながら載せる事により、温水を噴射させ、肌に付着した便を擦り落とす等の手間をかけずに速やかに便を肌から洗い流す事を特徴とする。
【考案の効果】
【０００７】  本考案の装置は主に新生児から１２ヶ月ぐらいの乳児が対象で排便をした乳児の肛門付近の便を温水により速やかに洗浄することにより、乳児の肛門を、乳児特有のおむつかぶれ等から守ることである。
【考案を実施するための最良の形態】
【０００８】  本装置はオマル型を呈する装置で、便座の上に乳児を抱きながら寝かせて、電源を作動させることにより、本装置を作動させる。
【実施例】
【０００９】  図１はベビー用お尻洗浄装置の使用例であるが、排便をした乳児をＡ方向に頭を、Ｂ方向に足を向かせ、便座のホール７に肛門が合うように載せて寝かせる。【００１０】  図１の１スイッチを入れる事で、２のタンクから温水が霧状となって４のノズルから噴霧されることにより、肛門及びその周辺に付着した便を速やかに洗い流すことが出来る。【００１１】  温水は温水タンク内でセンサーにより一定の温度に保たれる。タンクへの補充は注入口３から水を補充する。【００１２】  本装置を使用した場合、６の排便受け皿で、洗い流された便を受け、使用後に受け皿を引き出し、トイレ内の便器に流し処理できる。
【図面の簡単な説明】
【００１３】
【図１】  本装置の立体図。
【図２】  本装置の断面図。
【符号の説明】
【００１４】        １  スイッチ
２  センサー内蔵タンク
３  水注入口
４  噴霧ノズル
５  モーター部
６  便の受け皿
７  ホール
【図１】
0003114758.tif 000003
【図２】
0003114758.tif 000004
(57)【要約】      （修正有）【課題】国際貢献といった分野に馴染みが少なく、こうした知識を体験できる世界規模で問題提起できるような教材を提供する。【解決手段】そこで、今回、こうした国際支援等言う事柄に無縁の生徒たちが、エプロン実習製作を行ないながら、実際に国際支援活動に参加できるエプロン教材を開発したつまり、従来の基礎縫い練習エプロンキットに、転写シートをセット組み合わせ、この転写シートを使用すると、国際支援機関（インテルビダ）へ取引金額の一定額を販売元より寄付することができる仕組みになっている。この教材製作によって、生徒たちは国際的な視野をもつきっかけができ、また国際支援を身をもって体験することができる。【選択図】図１
0003114760.tif 000002
【実用新案登録請求の範囲】
【請求項１】
学校の授業で実習をする際の教材に  国際貢献（寄付）を盛り込んだエプロン製作教材
【考案の詳細な説明】
【考案の詳細な説明】
【技術分野】
【０００１】学校の授業で実習をする際の教材に関する技術分野
【背景技術】
【０００２】従来は、学校で使用する実習教材は生徒たちが、該当科目の技術習得のみのため実習製作を行なうことが多い。また、以前より生徒たちは国際貢献といった分野に馴染みが少なく、こうした知識の補える、または体験できる、いわば世界規模で問題提起できるような教材はなかった。
【考案が解決しようとする課題】
【０００３】今回、こうした国際支援等言う事柄に無縁の生徒たちが、エプロン実習製作を行ないながら、実際に国際支援活動に参加できるエプロン教材を開発した。
【課題を解決する手段】
【０００４】本考案は、従来の基礎縫い練習エプロンキットに、転写シートをセット組み合わせしている。この転写シートを使用すると、国際支援機関（インテルビダ）へ取引金額の一定額を販売元より寄付することができる仕組みになっている。
【考案を実施するための最良の形態】
【０００５】本案は、以上のような考え方のもと、学校でエプロン教材製作の実習をする際に、国際支援機関公認（インテルビダ公認）のキャラクターをエプロンにプリントする。プリントした教材購入価格の一部が交際支援機関を通して寄付される仕組みになっている。
この教材製作によって、生徒たちは国際的な視野をもつきっかけができ、また国際支援を身をもって体験することができる。
【考案の効果】
【０００６】この考案により、学校で行なう単なるエプロン教材製作の実習が、生徒たちに国際的な視野をもつきっかけ作りができる。さらに、生徒たちが自らのことだけでなく他者（地球上に共に生きる人・生物・環境・資源）を考えるきっかけになる。また、教材購入費の一部が実際に、国際支援として、恵まれない子供たちの生活（教育・食糧・医療・衛生など）に活かされる。
【図面の簡単な説明】
【図１】  「学校教材  いのちの架け橋エプロン」の製作図
【図２】  「学校教材  いのちの架け橋エプロン」の完成図
【図１】
0003114760.tif 000003
【図２】
0003114760.tif 000004
【手続補正書】
【提出日】平成17年6月17日(2005.6.17)
【手続補正１】
【補正対象書類名】実用新案登録請求の範囲
【補正対象項目名】全文
【補正方法】変更
【補正の内容】
【実用新案登録請求の範囲】
【請求項１】
学校の授業で実習をする際の教材に  国際貢献を盛り込んだ家庭科被服実習用  エプロン製作教材